(57)【要約】  【課題】細菌の侵入し易いタイミングで殺菌を行い、効率的に飲料水を浄化することができる飲料水供給装置を提供する。  【解決手段】水道水等の飲料水が充填され取り外し自在に配置された容器１と、容器１から導水された飲料水を冷却する冷水器２２、冷水器２２内に設置され冷水器２２内の飲料水を殺菌する殺菌器５と、冷水器２２内の飲料水の給水及び停水を制御する冷水バルブ２３と、容器１が取り外されたか否かを検知する容器検知器４と、容器検知４が容器１の取り外し状態を検知した後、殺菌器５を所定時間に亘って駆動するよう制御するマイコン６とを備えた構造となっている。これにより、容器１が取り外された状態となったとき、即ち、外部から冷水器２２に細菌が侵入し易い状況となったときに殺菌器５が駆動するため、侵入した細菌をタイミング良く死滅させることができる。【選択図】  図１
2005121272.tif 000002
【特許請求の範囲】
【請求項１】
天然水や水道水等の飲料水が充填され取り外し自在に配置された容器と、
前記容器から導水された飲料水を冷却する冷水器、
前記冷水器内に設置され該冷水器内の飲料水を殺菌する殺菌器と、
前記冷水器内の飲料水の給水及び停水を制御する冷水バルブと、
前記容器が取り外されたか否かを検知する容器検知手段と、
前記容器検知手段が前記容器の取り外し状態を検知した後、前記殺菌器を所定時間に亘って駆動するよう制御する制御手段とを備えた
飲料水供給装置。
【請求項２】
前記冷水器は飲料水が受容される冷水タンク部を有する
ことを特徴とする請求項１記載の飲料水供給装置。
【請求項３】
前記容器に対して並列に配置され、該容器から導水された飲料水を加熱する温水器と、
前記温水器の飲料水の給水及び停水を制御する温水バルブとを備えた
ことを特徴とする請求項１又は請求項２記載の飲料水供給装置。
【請求項４】
前記容器の飲料水を導水する共通管と、該共通管内の飲料水を前記冷水器に導く冷水用導水管と、該共通管内の飲料水を前記温水器に導く温水用導水管とを有する
ことを特徴とする請求項３記載の飲料水供給装置。
【請求項５】
前記温水器は飲料水が受容される温水タンク部を有する
ことを特徴とする請求項３又は請求項４記載の飲料水供給装置。
【請求項６】
天然水や水道水等の飲料水が充填され取り外し自在に配置された容器と、
前記容器から導水された飲料水を受容するリザーブタンクと、
前記リザーブタンクから導水された飲料水を冷却する冷水器、
前記リザーブタンク内に設置され該リザーブタンク内の飲料水を殺菌する殺菌器と、
前記冷水器内の飲料水の給水及び停水を制御する冷水バルブと、
前記容器が取り外されたか否かを検知する容器検知手段と、
前記容器検知手段が前記容器の取り外し状態を検知した後、前記殺菌器を所定時間に亘って駆動するよう制御する制御手段とを備えた
飲料水供給装置。
【請求項７】
前記冷水器は飲料水が受容される冷水タンク部を有する
ことを特徴とする請求項６記載の飲料水供給装置。
【請求項８】
前記リザーブタンクに対して並列に配置され該リザーブタンクから導水された飲料水を加熱する温水器と、
前記温水器の飲料水の給水及び停水を制御する温水バルブとを備えた
ことを特徴とする請求項６又は請求項７記載の飲料水供給装置。
【請求項９】
前記リザーブタンクの飲料水を導水する共通管と、該共通管内の飲料水を前記冷水器に導く冷水用導水管と、該共通管内の飲料水を前記温水器に導く温水用導水管とを有する
ことを特徴とする請求項８記載の飲料水供給装置。
【請求項１０】
前記温水器は飲料水が受容される温水タンク部を有する
ことを特徴とする請求項８又は請求項９記載の飲料水供給装置。
【請求項１１】
前記冷水器の下流に細菌を除去する細菌除去器を設けた
ことを特徴とする請求項１乃至請求項１０の何れか一項記載の飲料水供給装置。
【請求項１２】
前記細菌除去器は細菌を捕捉するフィルタ又は細菌を死滅させる他の殺菌器である
ことを特徴とする請求項１１記載の飲料水供給装置。
【請求項１３】
前記殺菌器は紫外線殺菌器、紫外線発光ダイオード殺菌器又は紫外線パルス光殺菌器である
ことを特徴とする請求項１乃至請求項１２の何れか一項記載の飲料水供給装置。
【請求項１４】
前記フィルタは中空糸膜フィルタ、メンブレンフィルタ又はデプスフィルタの何れか一つ又はこれらを組み合わせてなる
ことを特徴とする請求項１２記載の飲料水供給装置。
【請求項１５】
前記殺菌器の駆動時刻を設定する殺菌時刻設定手段を有し、前記制御手段は該殺菌時刻設定手段で設定された時刻に該殺菌器を駆動するよう制御する
ことを特徴とする請求項１乃至請求項１４の何れか一項記載の飲料水供給装置。
【請求項１６】
前記殺菌器の駆動時間間隔を設置する殺菌インターバル設定手段を有し、前記制御手段は該殺菌インターバル設定手段で設定されたインターバルで前記殺菌器を駆動するよう制御する
ことを特徴とする請求項１乃至請求項１４の何れか一項記載の飲料水供給装置。
【発明の詳細な説明】
【技術分野】
【０００１】
本発明は、天然水等の飲料水を冷却又は加温して供給する飲料水供給装置に関するものである。
【背景技術】
【０００２】
従来、この種の飲料水供給装置として、特開平８−２３０９９３号公報に記載されたものが知られている。
【０００３】
この飲料水供給装置は、取り外し自在の冷水タンクと冷水タンクに連通した温水タンクを有するもので、冷水タンクにはタンク内の水を冷却する冷却装置が設置され、一方、温水タンクにはタンク内の水を加熱するヒータが設置されている。冷水バルブを開くときは冷水タンク内の冷水が注水され、また、温水バルブを開くときは温水タンク内の温水が注水される。
【０００４】
また、飲料水供給装置は細菌ろ過器を有しており、注水待機時には循環ポンプを常時駆動して冷却タンク内の水を細菌ろ過器に通し、冷水タンク内の細菌の繁殖を防止している。
【特許文献１】特開平８−２３０９９３号公報
【発明の開示】
【発明が解決しようとする課題】
【０００５】
しかしながら、前記従来の飲料水供給装置では、冷水タンクと細菌ろ過器との間には循環ポンプはもとより、水循環のための配管を設置する必要がある。このため、飲料水の配管回路が複雑になり、また、装置全体が大型化するという問題点を有していた。
【０００６】
また、飲料水の注水待機時には循環ポンプが常時駆動されているため、ランニングコストが割高となっていた。
【０００７】
更に、温水タンクに給水される飲料水が冷水タンクで一旦冷却されたものが使用されている。これにより、温水タンクで所望の温水を生成する際、常温の飲料水を加熱して温水を生成する場合と比較して多大なヒータ熱が必要となり、省エネの点で不利なものとなっていた。
【０００８】
本発明の目的は前記従来の課題に鑑み、飲料水の浄化のための循環ポンプ及び循環路が不要になり、また、細菌の侵入し易いタイミングで殺菌を行い、効率的に飲料水を浄化できる飲料水供給装置を提供することにある。
【課題を解決するための手段】
【０００９】
本発明は前記課題を解決するため、請求項１に係る飲料水供給装置は、天然水や水道水等の飲料水が充填され取り外し自在に配置された容器と、容器から導水された飲料水を冷却する冷水器、冷水器内に設置され冷水器内の飲料水を殺菌する殺菌器と、冷水器内の飲料水の給水及び停水を制御する冷水バルブと、容器が取り外されたか否かを検知する容器検知手段と、容器検知手段が容器の取り外し状態を検知した後、殺菌器を所定時間に亘って駆動するよう制御する制御手段とを備えた構造となっている。なお、冷水器は飲料水が受容される冷水タンク部を有する構造としてもよい（請求項２の発明）。
【００１０】
請求項３の発明は、請求項１又は請求項２の飲料水供給装置において、容器に対して並列に配置され、容器から導水された飲料水を加熱する温水器と、温水器の飲料水の給水及び停水を制御する温水バルブとを備えた構造となっている。なお、容器の飲料水を冷水器と温水器に導く配管系は、容器の飲料水を導水する共通管と、共通管内の飲料水を冷水器に導く冷水用導水管と、共通管内の飲料水を温水器に導く温水用導水管とから構成するようにしてもよい（請求項４の発明）。また、温水器は飲料水が受容される温水タンク部を有する構造としてもよい（請求項５の発明）。
【００１１】
請求項６に係る飲料水供給装置は、天然水や水道水等の飲料水が充填され取り外し自在に配置された容器と、容器から導水された飲料水を受容するリザーブタンクと、リザーブタンクから導水された飲料水を冷却する冷水器、リザーブタンク内に設置されリザーブタンク内の飲料水を殺菌する殺菌器と、冷水器内の飲料水の給水及び停水を制御する冷水バルブと、容器が取り外されたか否かを検知する容器検知手段と、容器検知手段が容器の取り外し状態を検知した後、殺菌器を所定時間に亘って駆動するよう制御する制御手段とを備えた構造となっている。即ち、請求項６の発明は請求項１に係る飲料水供給装置において、リザーブタンクを容器と冷水器との間に設けたものであり、その他の構成は請求項１の発明と同様になっている。
【００１２】
なお、請求項７〜請求項１０の発明は請求項２〜請求項５と対応するもので、その相違点はリザーブタンクの有無にある。
【００１３】
請求項１１の発明は、請求項１乃至請求項１０の飲料水供給装置において、冷水器の下流に細菌を除去する細菌除去器を設けた構造となっている。なお、この細菌除去器として細菌を捕捉するフィルタ又は細菌を死滅させる他の殺菌器で構成してもよい（請求項１２の発明）。また、殺菌器は紫外線殺菌器、紫外線発光ダイオード殺菌器又は紫外線パルス光殺菌器で構成してもよい（請求項１３の発明）。更にフィルタは中空糸膜フィルタ、メンブレンフィルタ又はデプスフィルタの何れか一つ又はこれらを組み合わせて構成してもよい（請求項１４の発明）。
【００１４】
請求項１５の発明は、請求項１乃至請求項１４の飲料水供給装置において、殺菌器の駆動時刻を設定する殺菌時刻設定手段を有し、制御手段は殺菌時刻設定手段で設定された時刻に殺菌器を所定時間に亘って駆動するよう制御する構造となっている。
【００１５】
請求項１６の発明は、請求項１乃至請求項１４の飲料水供給装置において、殺菌器の駆動時間間隔を設定する殺菌インターバル設定手段を有し、制御手段は殺菌インターバル設定手段で設定されたインターバルで殺菌器を駆動するよう制御する構造となっている。
【発明の効果】
【００１６】
請求項１の発明によれば、容器が取り外された状態となったとき、即ち、外部から冷水器に細菌が侵入し易い状況となったときに殺菌器が駆動するため、侵入した細菌をタイミング良く死滅させることができる。
【００１７】
請求項３の発明によれば、温水器に導水される飲料水が冷水器の飲料水とは別個に容器から得られるため、温水器には常温の飲料水が導水され、温水を生成する際に過剰な熱エネルギーを必要としない。
【００１８】
請求項６の発明によれば、容器が取り外された状態となったとき、即ち、外部からリザーブタンクに細菌が侵入し易い状況となったときに殺菌器が駆動するため、侵入した細菌をタイミング良く死滅させることができる。
【００１９】
請求項１１の発明によれば、冷水器又はリザーブタンクに設置した殺菌器に付加して別個に細菌除去器を設置しているため、飲料水の浄化が更に向上する。
【００２０】
請求項１５の発明によれば、殺菌器の駆動する時刻を飲料水供給装置の使用頻度の少ない時刻、例えば冷水器又はリザーブタンク内に長時間に亘って貯留された夜間の時刻に殺菌器を駆動させることができるため、細菌の増殖を確実に抑制することができる。
【００２１】
請求項１６の発明によれば、冷水器又はリザーブタンク内の飲料水が定期的に殺菌されるため、常に浄化さた飲料水が供給される。
【発明を実施するための最良の形態】
【００２２】
図１乃至図３は本発明に係る飲料水供給装置の第１実施形態を示すもので、図１は飲料水供給装置の概略断面図、図２は殺菌器の駆動制御回路を示すブロック図、図３は殺菌器の駆動制御フローチャートである。
【００２３】
まず、図１を参照して飲料水供給装置の概略構成を説明する。飲料水供給装置は、ミネラル水、水道水等の飲料水を貯留する容器１と、容器１に連結した飲料給水系２と、飲料給水系２から注出された飲料水をカップＡで受ける受け部３とを有している。なお、飲料水供給装置は、これらの各部１〜３以外にも冷却装置等の各機器が設定されているが、図１には本発明に関係する構造のみを示した。
【００２４】
容器１は一端に注水口１１を有するボトルやタンクが用いられている。また、容器１はその注水口１１を逆さにして支持台１２に設置されており、この注水口１１から飲料水を注出するようになっている。
【００２５】
飲料給水系２は、上下の導水配管２１１，２１２からなる水配管部２１と、冷水器２２と、冷水バルブ２３と、ノズル部２４から構成されている。この上部導水配管２１１は、その上端が容器１の注水口１１に連結され、下端が冷水器２２に連結されている。なお、図示しないが、上部導水配管２１１の上部には逆止弁付きの空気導入管が付設され、この空気導入管を通じて容器１内に外気を導入するようになっている。下部導水配管２１２は、その上端が冷水器２２に連結され、下端がノズル部２４に連結されている。また、下部導水配管２１２の途中には冷水バルブ２３が設置されている。冷水バルブ２３は手動又は自動を問わないものであり、手動式で構成されるときは開閉コックであり、自動式で構成されるときは図示しない制御装置の給水・停水信号で開閉される電磁弁構造となっている。
【００２６】
冷水器２２のタンク部２２１の外面にはコイル式蒸発器２２２が設置されている。コイル式蒸発器２２２には図示しない冷却装置から冷媒が循環し、タンク部２２１内を冷却するようになっている。また、タンク部２２１には上部導水配管２１１が連結されているため、上部導水配管２１１を通じて容器１の飲料水が供給される。これにより、タンク部２２１内で飲料水が冷却される。また、タンク部２２１には下部導水配管２１２が連結されているため、冷水バルブ２３が開動作するとき冷水器２２から飲料水が導出され、ノズル部２４を通じて受け部３上のカップＡに注出されることとなる。
【００２７】
以上のように構成された飲料水供給装置において、支持台１２にはマイクロスイッチ等で構成された容器検知器４が設置されている。支持台１２の上面のうち容器１と対向部分には凹所１２１が形成されており、この凹所１２１に容器検知器４が設置されている。なお、容器検知器４は容器１が支持台１２上に設置されているか否かを検知できれば足り、マイクロスイッチに限らず圧電センサ等、容器１の重量を通じて容器１の存否が検知可能なものであればよい。
【００２８】
また、冷水器２２のタンク部２２１内に紫外線を照射する殺菌器５が設置されている。この殺菌器５は水銀ランプを用いた紫外線殺菌器、紫外線発光ダイオードを用いた紫外線発光ダイオード殺菌器又は紫外線パルス光により細菌を死滅させる紫外線パルス光殺菌器で構成されている。
【００２９】
更に、殺菌器５は図２に示す駆動回路により制御される。即ち、殺菌器５はマイクロコンピュータ（以下マイコン）６により制御される。また、マイコン６は容器検知器４からの検知信号と殺菌時間設定スイッチ７からの時間信号が入力され、殺菌器駆動回路５１を通じて殺菌器５を駆動するようになっている。また、マイコン６にはＣＰＵ６１、メモリ６２及びタイマ６３が搭載されている。メモリ６２には殺菌時間設定スイッチ７でセットされた時間が記憶されている。タイマ６３はメモリ６２に記憶された時間を計測するようになっている。
【００３０】
本実施形態に係る殺菌器の駆動制御を図３を参照して説明する。即ち、殺菌時間設定スイッチ７によって殺菌時間Ｔ１（例えば６０秒）をマニュアルでセットする（Ｓ１）。ここで、容器１が検知されているか否かを判定する（Ｓ２）。容器１が検知されているときは殺菌器５は駆動せず待機する一方、容器１が検知されていないと判定したときは、殺菌器５を殺菌時間Ｔ１に亘って駆動する（Ｓ３）。
【００３１】
前記駆動制御において、容器１が検知されていないとき、即ち、容器１内の飲料水が空となり、容器１を支持台１２から外されたときは、上部導水配管２１１の上端を通じて冷水器２２に細菌が侵入し易い状態となる。このようなときに、殺菌器５が駆動されるので、冷水器２２内に細菌が侵入したとしても、直ちに殺菌され、冷水器２２内の飲料水を清浄に保つことができる。
【００３２】
また、殺菌器５は冷水器２２内に配置され、従来例の如く循環ポンプや循環配管が不要となっているので、極めて簡単な殺菌構造となっている。
【００３３】
図４及び図５は本発明に係る飲料水供給装置の第２実施形態を示すもので、図４は殺菌器の駆動制御回路を示すブロック図、図５は殺菌器の駆動制御フローチャートである。前記第１実施形態では容器検知器４の検知信号に基づいて殺菌器５を制御しているが、本実施形態はこれに加えて殺菌器５の駆動開始時刻を設定する殺菌時刻設定スイッチ８を有し、殺菌時刻設定スイッチ８に基づき殺菌器５を駆動制御するようになっている。なお、前記第１実施形態と共通の構成部分は同一符号をもって表し、その説明を省略する。
【００３４】
本実施形態に係る飲料水供給装置の殺菌器の駆動制御を図５を参照して説明する。まず、殺菌時間設定スイッチ７によって殺菌時間Ｔ１（例えば６０秒）をセットする（Ｓ１１）。また、殺菌時刻設定スイッチ８によって殺菌時刻Ｔ２を設定する（Ｓ１２）。ここで、容器１が検知されているか否かを判定し（Ｓ１３）、更に殺菌器５の殺菌時刻Ｔ２となったか否かを判定する（Ｓ１４）。ステップ１３，１４で、容器１が検知されていないと判定したとき、また、容器１が検知されているときで、かつ、殺菌時刻となったときは殺菌器５を殺菌時間Ｔ１に亘って駆動する（Ｓ１５）。
【００３５】
本実施形態によれば、殺菌器５の駆動する時刻を飲料水供給装置の使用頻度の少ない時刻、例えば冷水器２２内に長時間に亘って貯水された夜間の時刻に設定することができる。従って、夜間における細菌増殖を確実に抑制することができる。なお、その他の構成、作用は前記第１実施形態と同様である。
【００３６】
図６及び図７は本発明に係る飲料水供給装置の第３実施形態を示すもので、図６は殺菌器の駆動制御回路を示すブロック図、図７は殺菌器の駆動制御フローチャートである。前記第１実施形態では容器検知器４の検知信号に基づいて殺菌器５を制御しているが、本実施形態はこれに加えて殺菌操作の時間間隔を設定する殺菌インターバル設定スイッチ９を有し、このスイッチ９に基づき殺菌器５を駆動制御するようになっている。なお、前記第１実施形態と共通の構成部分は同一符号をもって表し、その説明を省略する。
【００３７】
本実施形態に係る飲料水供給装置の殺菌器の駆動制御を図７を参照して説明する。まず、殺菌時間設定スイッチ７によって殺菌時間Ｔ１（例えば３０秒）をマニュアルでセットする（Ｓ２１）。また、殺菌インターバル設定スイッチ９によって殺菌操作のインターバル時間Ｔ３をマニュアルで設定する（Ｓ２２）。ここで、容器１が検知されているか否かを判定し（Ｓ２３）、更にインターバル時間Ｔ３となったか否かを判定する（Ｓ２４）。ステップ２３，２４で、容器１が検知されていないと判定したとき、また、容器１が検知されているときで、かつ、インターバル時間Ｔ３が経過したときは殺菌器５を殺菌時間Ｔ１に亘って駆動する（Ｓ２５）。
殺菌器５の殺菌操作が終了したときは、この殺菌器５の駆動が、ステップ２３の判定（容器１が検知されていないという判定）によるものか、或いは、ステップ２４の判定（インターバル時間Ｔ３が経過したという判定）によるものかを判断し、ステップ２４の判定によるものであるときは、インターバル時間Ｔ３の計測をリセットし、再度インターバル時間Ｔ３の計測を開始する（Ｓ２６，Ｓ２７）。
【００３８】
本実施形態によれば、一定のインターバル時間（例えば２時間）をセットすることにより、常時、冷水器２２内の飲料水を清浄に保つことができる。なお、その他の構成、作用は前記第１実施形態と同様である。
【００３９】
図８は本発明に係る飲料水供給装置の第４実施形態を示すものである。前記第１実施形態では冷水のみを供給する構造となっているが、本実施形態はこれに加えて温水も供給可能な飲料水供給装置となっている。なお、前記第１実施形態と共通の構成部分は同一符号をもって表し、その説明を省略する。
【００４０】
即ち、上部導水配管２１１は、容器１の注水口１１に接続した共通管２１１ａと、共通管２１１ａの下端から一方に分岐した冷水用導水管２１１ｂと、共通管２１１ａの下端から他方に分岐した温水用導水管２１１ｃとから構成されている。冷水用導水管２１１ｂの下端には冷水器２２が接続され、また、温水用導水管２１１ｃの下端には温水器２５が接続されている。
【００４１】
温水器２５は飲料水が貯留可能なタンク部２５１を有し、このタンク部２５１内にヒータ２５２が配置されている。ヒータ２５２への通電によりタンク部２５１内の飲料水が加熱され、これにより、温水が生成される。
【００４２】
冷水器２２のタンク部２２１には前記第１実施形態と同様に冷水バルブ２３が設置された下部導水配管２１２ａが接続されている。一方、温水器２５のタンク部２５１には温水バルブ２６が設置された下部導水配管２１２ｂが接続されている。
【００４３】
本実施形態によれば、冷水供給はもとより温水バルブ２６の開閉により温水供給も可能となっている。また、冷水器２２と温水器２５が容器１に対して並列に接続されており、冷水生成及び温水生成の際に互いに熱的に影響を受けることがなく、温水を生成する際に、従来の如く過剰な熱エネルギーを必要としない。なお、その他の構成、作用は前記第１実施形態と同様である。
【００４４】
図９は本発明に係る飲料水供給装置の第５実施形態を示すものである。前記第１実施形態では容器１内の飲料水を直接に冷水器２２に導水する構造となっているが、本実施形態は冷水器２２と容器１とを接続する上部導水配管２１１にリザーブタンク２７を設置した構造となっている。なお、前記第１実施形態と共通の構成部分は同一符号をもって表し、その説明を省略する。
【００４５】
即ち、リザーブタンク２７は容器１から導水された飲料水を一旦ここで貯留する機能を有している。また、前記第１実施形態で冷水器２２に設置されていた殺菌器５をリザーブタンク２７内に設置している。
【００４６】
本実施形態によれば、冷水器２２で生成される冷水は、リザーブタンク２７で予め殺菌され、飲料水として供給される。なお、その他の構成、作用は前記第１実施形態と同様である。
【００４７】
図１０は本発明に係る飲料水供給装置の第６実施形態を示すものである。前記第５実施形態ではリザーブタンク２７の下流には容器１内の飲料水を直接に冷水器２２に導水する構造となっているが、本実施形態は冷水器２２と容器１とを接続する上部導水配管２１１にリザーブタンク２７を設置した構造となっており、また、図８に示す第４実施形態と同様に冷水器２２と温水器２５とを備えている。なお、前記第４実施形態及び前記第５実施形態と共通の構成部分は同一符号をもって表し、その説明を省略する。
【００４８】
即ち、リザーブタンク２７の下方に延在された上部導水配管２１１は、リザーブタンク２７に接続した共通管２１１ａと、共通管２１１ａの下端から一方に分岐した冷水用導水管２１１ｂと、共通管２１１ａの下端から他方に分岐した温水用導水管２１１ｃとから構成されている。冷水用導水管２１１ｂの下端には冷水器２２が接続され、また、温水用導水管２１１ｃの下端には温水器２５が接続されている。また、前記第４実施形態と同様に、冷水器２２には冷水バルブ２３が設置された下部導水配管２１２ａが接続され、また、温水器２５には温水バルブ２６が設置された下部導水配管２１２ｂが接続されている。
【００４９】
本実施形態によれば、リザーブタンク２７に貯留された飲料水が前記第４実施形態と同様に冷水又は温水として供給される。なお、その他の構成、作用は前記第４実施形態及び第５実施形態と同様である。
【００５０】
図１１は本発明に係る飲料水供給装置の第７実施形態を示すものである。前記第６実施形態では飲料水の除菌構造として殺菌器５を用いているが、本実施形態では冷水器２２の下流に接続された下部導水配管２１２ａに細菌除去器２８を設置した構造となっている。なお、前記第６実施形態と共通の構成部分は同一符号をもって表し、その説明を省略する。
【００５１】
細菌除去器２８は内部に例えば中空糸膜フィルタ、メンブレンフィルタ又はデプスフィルタの何れか一つ又はこれらを組み合わせて収納したものである。ここで、中空糸膜フィルタは雑菌を捕捉する機能を有し、メンブレンフィルタはろ材表面で微生物等を捕捉し、また、デプスフィルタはろ材内部で微生物等を捕捉する構造となっている。これらの各種フィルタを組み合わせて用いることより優れた除菌機能が発揮される。なお、フィルター材を用いることなく、前記殺菌器５と同様のものを用いるときも、同じく除菌機能が発揮されることは言うまでもない。
【００５２】
本実施形態によれば、リザーブタンク２７に設置された殺菌器５により除菌され、更には細菌除去器２８によっても除菌される。従って、飲料水の浄化が更に向上する。また、下部導水配管２１２ａの下端から侵入する細菌も細菌除去器２８により除菌することができる。本実施形態では前記第６実施形態に係る飲料水供給装置に細菌除去器２８を設置した例を示したが、第１実施形態乃至第５実施形態に係る飲料水供給装置にも同様に適用することができる。なお、その他の構成、作用は前記第６実施形態と同様である。
【００５３】
図１２は本発明に係る飲料水供給装置の第８実施形態を示すものである。前記第１実施形態乃至第７実施形態では容器１を１個のみ設置する場合を説明したが、本実施形態では容器１を複数設置している。なお、前記第７実施形態と共通の構成部分は同一符号をもって表し、その説明を省略する。
【００５４】
即ち、支持台１２は２個の容器１を並列に設置できるよう形成するとともに、各容器１の存否を検知する容器検知器４を各々の凹所１２１に設置している。また、リザーブタンク２７の上端に接続している上部導水配管２１１は、共通管２１１ｄと二股の分岐管２１１ｅとを有し、各分岐管２１１ｅの上端が各容器１の注出口１１に接続している。
【００５５】
本実施形態によれば、各容器１から各分岐管２１１ｅ及び共通管２１１ｄを通じてリザーブタンク２７に導水されるため、飲料水の供給容量が大きくなる。なお、その他の構成、作用は前記第７実施形態と同様である。
【００５６】
図１３は本発明に係る飲料水供給装置の第９実施形態を示すものである。前記各実施形態１〜８は容器１内の飲料水をその自重により流下させているが、本実施形態は２個の容器検知器４を備えた支持台１２ａに各容器検知器４に対応するよう各容器１ａを設置し、各容器１ａの飲料水をポンプ１３で吸い上げ、これを冷水器２２や温水器２５に飲料水を給送するようになっている。このうように、ポンプ１３で各容器１ａ内の飲料水を吸い上げる場合も、同様に適用することができる。なお、前記第４実施形態と共通の構成部分は同一符号をもって表し、その説明を省略している。
【図面の簡単な説明】
【００５７】
【図１】第１実施形態に係る飲料水供給装置の概略断面図
【図２】第１実施形態に係る殺菌器の駆動制御回路を示すブロック図
【図３】第１実施形態に係る殺菌器の駆動制御フローチャート
【図４】第２実施形態に係る殺菌器の駆動制御回路を示すブロック図
【図５】第２実施形態に係る殺菌器の駆動制御フローチャート
【図６】第３実施形態に係る殺菌器の駆動制御回路を示すブロック図
【図７】第３実施形態に係る殺菌器の駆動制御フローチャート
【図８】第４実施形態に係る飲料水供給装置の概略断面図
【図９】第５実施形態に係る飲料水供給装置の概略断面図
【図１０】第６実施形態に係る飲料水供給装置の概略断面図
【図１１】第７実施形態に係る飲料水供給装置の概略断面図
【図１２】第８実施形態に係る飲料水供給装置の概略断面図
【図１３】第９実施形態に係る飲料水供給装置の概略断面図
【符号の説明】
【００５８】
１…容器、２…飲料給水系、４…容器検知器、５…殺菌器、６…マイコン、７…殺菌時間設定スイッチ、８…殺菌時刻設定スイッチ、９…殺菌インターバル設定スイッチ、２２…冷水器、２３…冷水バルブ、２５…温水器、２６…温水バルブ、２７…リザーブタンク、２８…細菌除去器、２１１ａ…共通管、２１１ｂ…冷水用導水管、２１１ｃ…温水用導水管。
【図１】
2005121272.tif 000003
【図２】
2005121272.tif 000004
【図３】
2005121272.tif 000005
【図４】
2005121272.tif 000006
【図５】
2005121272.tif 000007
【図６】
2005121272.tif 000008
【図７】
2005121272.tif 000009
【図８】
2005121272.tif 000010
【図９】
2005121272.tif 000011
【図１０】
2005121272.tif 000012
【図１１】
2005121272.tif 000013
【図１２】
2005121272.tif 000014
【図１３】
2005121272.tif 000015